【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
拡張可能骨固定アセンブリであって、
近位端と、前記近位端から第一軸に沿って離間された遠位端とを形成する拡張可能固定部材であって、前記拡張可能固定部材は前記近位端及び前記遠位端の間に延びる拡張可能シャフトを有し、この拡張可能シャフトが、前記第一軸に沿ってそこに延びる軸方向ボアを有し、この拡張可能シャフトが、前記遠位端に配置されたアンカリング領域を有し、前記アンカリング領域は、この軸方向ボアと半径方向に整列し、且つ自身の上に形成されたアンカリング幾何学形状を有し、前記軸方向ボアは内径を形成している、前記拡張可能固定部材と、
細長シャフトとこの細長シャフトの遠位端から延びるマンドレルとを有する拡張部材であって、この細長シャフトが、この細長シャフトの少なくとも一部が前記軸方向ボアの第一の部分と半径方向に整列するように、前記軸方向ボアに嵌合する大きさにされているほぼ一定の断面寸法を有し、前記マンドレルがこの軸方向ボアを通して付勢される時にこのマンドレルが前記拡張可能シャフトのアンカリング領域の少なくとも一部分を拡張形態に半径方向外側に付勢するように、このマンドレルが、前記軸方向ボアの前記第一の部分に対して遠位にある前記軸方向ボアの少なくとも前記第二の部分の内径よりも大きい外寸を有する、前記拡張部材と、を有し、
前記アンカリング領域が前記拡張形態にあるとき、前記軸方向ボアの前記第一の部分の内径は、前記軸方向ボアの前記第二の部分の内径と等しいか又はこれより大きいことを特徴とする拡張可能骨固定アセンブリ。
【請求項２】
前記拡張可能固定部材は、前記近位端にヘッドを更に有し、前記軸方向ボアは、このヘッドを通って更に延びる請求項１に記載の拡張可能骨固定アセンブリ。
【請求項３】
前記ヘッドは、変形可能である請求項２に記載の拡張可能骨固定アセンブリ。
【請求項４】
前記ヘッドの外面には、周囲構造と係合するように構成されたアンカリング幾何学形状が形成される請求項１に記載の拡張可能骨固定アセンブリ。
【請求項５】
前記周囲構造は、骨プレート、骨、骨セグメント、骨接合装置、骨移植片、骨移植片の代用品、及び骨の代用品のうちの少なくとも１つである請求項４に記載の拡張可能骨固定アセンブリ。
【請求項６】
前記骨プレートには、前記アンカリング幾何学形状と係合するように構成された第２のアンカリング幾何学形状が形成される請求項５に記載の拡張可能骨固定アセンブリ。
【請求項７】
前記軸方向ボアは、前記ヘッド内でテーパがついている請求項６に記載の拡張可能骨固定アセンブリ。
【請求項８】
前記ヘッドには、複数の軸方向スロットが形成される請求項２に記載の拡張可能骨固定アセンブリ。
【請求項９】
前記ボア軸は、中心縦軸に対してオフセットされる請求項１に記載の拡張可能骨固定アセンブリ。
【請求項１０】
前記ボア軸は、中心縦軸に対して傾いている請求項１に記載の拡張可能骨固定アセンブリ。
【請求項１１】
前記マンドレルは、斜角面を有し、前記拡張可能シャフトの前記遠位端は、この斜角面と係合するように構成される請求項１に記載の拡張可能骨固定アセンブリ。
【請求項１２】
前記マンドレルは、そこから延びる切断面を有する請求項１に記載の拡張可能骨固定アセンブリ。
【請求項１３】
前記拡張可能シャフトの前記遠位端には、第２の切断面が形成される請求項１２に記載の拡張可能骨固定アセンブリ。
【請求項１４】
前記第２の切断面は、前記拡張可能シャフトに沿って軸方向に延びる複数の切断縦溝を有する請求項１３に記載の拡張可能骨固定アセンブリ。
【請求項１５】
前記アンカリング領域は、前記遠位端から生じ、前記拡張可能シャフトの少なくとも一部分に沿って前記近位端に向けて延びる請求項１に記載の拡張可能骨固定アセンブリ。
【請求項１６】
前記拡張可能シャフトは、第２の雄ネジ部分を有し、この第２の雄ネジ部分は、前記近位端から出て、この拡張可能シャフトの少なくとも一部分に沿って前記遠位端に向けて延びる請求項１５に記載の拡張可能骨固定アセンブリ。
【請求項１７】
前記第２の雄ネジ部分の第２のネジ山が、この雄ネジ部分の第１のネジ山の第１のピッチと異なる第２のピッチを有する請求項１６に記載の拡張可能骨固定アセンブリ。
【請求項１８】
前記第２の雄ネジ部分の第２のネジ山が、この雄ネジ部分の第１のネジ山の第１のネジ山角度と異なる第２のネジ山角度を有する請求項１６に記載の拡張可能骨固定アセンブリ。
【請求項１９】
前記第２のネジ山角度は、前記第１のネジ山角度と反対である請求項１８に記載の拡張可能骨固定アセンブリ。
【請求項２０】
前記拡張可能シャフトの前記遠位端は、閉鎖している請求項１に記載の拡張可能骨固定アセンブリ。
【請求項２１】
前記マンドレルには、複数の起伏構造が形成される請求項１に記載の拡張可能骨固定アセンブリ。
【請求項２２】
前記拡張可能シャフトには、前記ヘッドの遠位端にロッキング構造が形成され、このロッキング構造は、拡張して周囲構造と接触するように構成される請求項２に記載の拡張可能骨固定アセンブリ。
【請求項２３】
拡張可能頭蓋固定アセンブリであって、
内寸を有するボアが貫通するように形成された拡張可能固定部材本体を有する拡張可能固定部材と、
細長シャフトとこのシャフトの遠位端におけるマンドレルとを有する拡張部材と、
を有し、
前記マンドレルは、
前記マンドレルが前記ボアを通して付勢される時に、このマンドレルが、前記拡張可能固定部材本体の少なくとも一部分が１つ又はそれよりも多くの隣接する骨セグメントと係合するように、この拡張可能固定部材本体を外向きに拡張させるように、
前記内寸よりも大きい外寸を有する拡張可能頭蓋固定アセンブリ。
【請求項２４】
前記拡張可能固定部材本体は、対向する近位及び遠位シャフト端部の間に延びる挿管拡張可能シャフトを有し、この拡張可能シャフトは、この近位シャフト端部にディスクを有する請求項２３に記載の拡張可能頭蓋固定アセンブリ。
【請求項２５】
前記拡張可能シャフトには、この拡張可能シャフトの長さの少なくとも一部分に沿って１つ又はそれよりも多くの軸方向スロットが形成され、この１つ又はそれよりも多くの軸方向スロットは、複数の可撓性脚を形成する請求項２４に記載の拡張可能頭蓋固定アセンブリ。
【請求項２６】
前記複数の可撓性脚には、前記１つ又はそれよりも多くの隣接骨セグメントと係合するように構成された骨係合構造が形成される請求項２５に記載の拡張可能頭蓋固定アセンブリ。
【請求項２７】
前記複数の可撓性脚は、複数の継ぎ目脚部分を有する請求項２５に記載の拡張可能頭蓋固定アセンブリ。
【請求項２８】
前記複数の継ぎ目脚部分は、前記１つ又はそれよりも多くの隣接骨セグメントと係合するように構成される請求項２７に記載の拡張可能頭蓋固定アセンブリ。
【請求項２９】
保持部材を更に有し、この保持部材は、前記拡張可能シャフトに受け取られ、かつ前記複数の可撓性脚と係合してロックした構成になるように構成される請求項２５に記載の拡張可能頭蓋固定アセンブリ。
【請求項３０】
前記１つ又はそれよりも多くの隣接骨セグメントと係合するように構成された拡張可能補助固定部材を更に有する請求項２４に記載の拡張可能頭蓋固定アセンブリ。
【請求項３１】
前記拡張可能補助固定部材は、対向する第２の近位及び遠位シャフト端部の間に延びる第２の挿管拡張可能シャフトを有し、この第２の拡張可能シャフトは、この第２の遠位シャフト端部に第２のディスクを有する請求項３０に記載の拡張可能頭蓋固定アセンブリ。
【請求項３２】
前記第２のディスクには、その円周に沿って複数の骨係合構造が形成される請求項３１に記載の拡張可能頭蓋固定アセンブリ。
【請求項３３】
前記第２の挿管拡張可能シャフトは、前記挿管拡張可能シャフト内に受け取られるように構成される請求項３１に記載の拡張可能頭蓋固定アセンブリ。
【請求項３４】
前記第２の挿管拡張可能シャフトは、前記挿管拡張可能シャフトを受け取るように構成される請求項３１に記載の拡張可能頭蓋固定アセンブリ。
【請求項３５】
前記拡張可能補助固定部材は、キーロックバーを有する請求項３０に記載の拡張可能頭蓋固定アセンブリ。
【請求項３６】
前記拡張可能シャフトは、前記遠位シャフト端部に形成された第２のディスクを更に有する請求項２４に記載の拡張可能頭蓋固定アセンブリ。
【請求項３７】
前記第２のディスクには、その円周に沿って複数の骨係合構造が形成される請求項３６に記載の拡張可能頭蓋固定アセンブリ。
【請求項３８】
前記拡張可能シャフトと前記第２のディスクとによって担持されるように構成された第３のディスクを更に有し、ある一定の容積の変形可能係合材料が、このディスクとこの第３のディスクの間に配置される請求項３６に記載の拡張可能頭蓋固定アセンブリ。
【請求項３９】
前記拡張可能固定部材本体は、対向する上面及び下面を形成する拡張可能固定ブロックを有し、この拡張可能固定ブロックは、この上面上に形成されたディスクを有し、この固定ブロックは、この固定ブロックの両側から延びる複数の骨係合構造を有し、
前記ボアは、前記固定ブロックの対向する前端及び後端の間に延びるシャフト軸に沿って形成される、
請求項２３に記載の拡張可能頭蓋固定アセンブリ。
【請求項４０】
前記拡張可能固定部材本体は、１つ又はそれよりも多くの可撓性湾曲アームによって接続された１対の環状固定部材を有し、この可撓性湾曲アームには、複数の骨係合構造が形成される請求項２３に記載の拡張可能頭蓋固定アセンブリ。
【請求項４１】
拡張可能椎間インプラントアセンブリであって、
少なくとも１つのボアが形成されたインプラント本体と、
少なくとも１つの拡張部材と、
を有し、
前記少なくとも１つの拡張部材が少なくとも１つのボアを通して付勢される時に、この少なくとも１つの拡張部材は、前記インプラント本体を拡張して周囲構造と係合させる、  拡張可能椎間インプラントアセンブリ。
【請求項４２】
前記インプラント本体の少なくとも１つの外面には、１つ又はそれよりも多くの骨係合構造が形成される請求項４１に記載の拡張可能椎間インプラントアセンブリ。
【請求項４３】
前記周囲構造は、骨である請求項４１に記載の拡張可能椎間インプラントアセンブリ。
【請求項４４】
拡張可能固定アセンブリが、前記ボア内に配置される請求項４１に記載の拡張可能椎間インプラントアセンブリ。
【請求項４５】
前記インプラント本体には、それを貫通して、前記ボアと交差する少なくとも１つの交差ボアが更に形成され、
拡張可能椎間インプラントアセンブリが、少なくとも１対の係合構造を更に有し、この係合構造は、前記拡張部材の両側で前記交差ボア内に配置される、
請求項４１に記載の拡張可能椎間インプラントアセンブリ。
【請求項４６】
骨折固定の方法であって、
拡張可能シャフトを有する拡張可能固定部材を骨セグメントのボアの中に挿入する段階であって、この拡張可能シャフトが、細長シャフトによって担持され、この細長シャフトが、その遠位端にマンドレルを有する前記段階と、
前記マンドレルを前記拡張可能シャフトの一部分の中に付勢し、この拡張可能シャフトのこの部分をこの拡張可能シャフト上に形成されたネジ山が前記ボア内の周囲の骨と係合するように半径方向に拡張する段階と、
前記細長シャフトの操作を通して前記骨を位置決めする段階と、
前記骨セグメントを周囲構造に締め付ける段階と、
を有する方法。
【請求項４７】
前記骨セグメントは、骨プレートを使用して周囲構造に締め付けられる請求項４６に記載の骨折固定の方法。
【請求項４８】
拡張可能骨固定アセンブリであって、
近位端と、前記近位端から第一軸に沿って離間された遠位端とを形成する拡張可能固定部材であって、前記拡張可能固定部材は前記近位端及び前記遠位端の間に延びる拡張可能シャフトを有し、この拡張可能シャフトが、前記第一軸に沿ってそこに延びる軸方向ボアを有し、この拡張可能シャフトが、前記遠位端に配置されたアンカリング領域を有し、前記アンカリング領域は、この軸方向ボアと半径方向に整列し、且つ自身の上に形成されたアンカリング幾何学形状を有し、前記軸方向ボアは内径を形成している、前記拡張可能固定部材と、
前記第一軸に沿って前記軸方向ボア内に移動するように形成された拡張部材であって、前記拡張部材は、細長シャフトとこの細長シャフトの遠位端から延びるマンドレルとを有し、この細長シャフトが、この細長シャフトの少なくとも一部が前記軸方向ボアの第一の部分と半径方向に整列するように、前記軸方向ボアに嵌合する大きさにされているほぼ一定の断面寸法を有し、このマンドレルが、前記軸方向ボアの少なくとも第二の部分の内径よりも大きい外寸を有し、前記軸方向ボアの第二の部分は、前記軸方向ボアの前記第一の部分に対して遠位にあり、前記マンドレルがこの軸方向ボアの前記第二の部分を通って前記拡張可能固定部材の前記近位端に向かって移動するとき、前記マンドレルが前記軸方向ボアの前記第二の部分の内径を増大させるように、前記拡張可能シャフトのアンカリング領域の少なくとも一部分を拡張形態に半径方向外側に付勢する、前記拡張部材と、を有し、
前記マンドレルが前記軸方向ボアの前記第二の部分を通って移動し終えた後、前記拡張可能固定部材の前記遠位端と半径方向に整列している前記アンカリング領域の一部が、前記拡張形態で残ることを特徴とする拡張可能骨固定アセンブリ。
【請求項４９】
前記マンドレルが前記アンカリング領域の少なくとも一部を通って移動し終えたとき、
前記軸方向ボアの前記第一の部分の内径は、前記軸方向ボアの前記第二の部分の内径と等しいか又はこれより大きい請求項４８に記載の拡張可能骨固定アセンブリ。
【請求項５０】
前記マンドレルが前記アンカリング領域を前記拡張形態に付勢するときの前記軸方向ボアの前記第二の部分の内径が、前記マンドレルが前記アンカリング領域の少なくとも一部を通って移動し終えたときの前記軸方向ボアの前記第二の部分の内径と少なくとも同じである請求項４８に記載の拡張可能骨固定アセンブリ。
【請求項５１】
前記拡張可能固定部材は、前記近位端にヘッドを有し、前記軸方向ボアがこのヘッドを通って延びる請求項４８に記載の拡張可能骨固定アセンブリ。
【請求項５２】
前記軸方向ボアは、前記ヘッドと半径方向に整列する前記近位部分を形成し、前記第二の部分は前記拡張可能固定部材の前記遠位端に配置され、前記第一の部分は前記近位部分と前記第二の部分との間に延びる請求項５１に記載の拡張可能骨固定アセンブリ。
【請求項５３】
前記アンカリング幾何学形状は、前記第一軸に沿って間隔をあけられた複数の突出部分である請求項１に記載の拡張可能骨固定アセンブリ。
【請求項５４】
前記アンカリング幾何学形状は、ネジである請求項５３に記載の拡張可能骨固定アセンブリ。
【請求項５５】
前記アンカリング幾何学形状は、前記第一軸に沿って間隔をあけられた複数の突出部分である請求項４８に記載の拡張可能骨固定アセンブリ。
【請求項５６】
前記アンカリング幾何学形状は、ネジである請求項５５に記載の拡張可能骨固定アセンブリ。